(57)【要約】  フェニル置換アルキルアルコール、フェニル置換アルキルアルコール以外の酸素化膨潤溶媒、水、組成物が単相を有するのに十分な結合剤、及び、鹸化剤を含まない他の類似組成物と比較したときに、組成物がアルカリ性ｐＨを有し、かつ剥離後に減少した油性残留物を有するように、脂肪酸又は脂肪酸エステルと化学量論的に過剰なアルカリ金属水酸化物又は水酸化アンモニウムの反応物を含む十分な鹸化剤を含む床剥離剤／洗浄剤組成物を用いて、床仕上げ剤が剥離又はディープ・スクラブされる。本組成物は、特に化学攻撃され易い床基材上で、超耐久性（例えば、架橋した）床仕上げ剤を除去するのに有用である。【選択図】なし【特許請求の範囲】
【請求項１】
ａ）フェニル置換アルキルアルコール；
ｂ）フェニル置換アルキルアルコール以外の酸素化膨潤溶媒；
ｃ）水；
ｄ）組成物が単相を有するのに十分な結合剤；
ｅ）鹸化剤を含まない他の類似組成物と比較したときに、組成物がアルカリ性ｐＨを有し、かつ剥離後に減少した油性残留物を有するように、脂肪酸又は脂肪酸エステルと化学量論的に過剰なアルカリ金属水酸化物又は水酸化アンモニウムの反応物を含む十分な鹸化剤
を含む、床仕上げ剥離剤組成物。
【請求項２】
フェニル置換アルキルアルコールが、ベンジルアルコールを含む、請求項１に記載の組成物。
【請求項３】
フェニル置換アルキルアルコールが、エチレングリコールフェニルエーテル若しくはプロピレングリコールフェニルエーテル又はこれらの混合物を含む、請求項１に記載の組成物。
【請求項４】
５重量％を超え、かつ２５重量％未満のフェニル置換アルキルアルコールを含む、請求項１に記載の組成物。
【請求項５】
酸素化膨潤溶媒が、プロピレングリコールモノブチルエーテルを含む、請求項１に記載の組成物。
【請求項６】
酸素化膨潤溶媒が、ジプロピレングリコールジメチルエーテル、エチレングリコールモノブチルエーテル、ジエチレングリコールモノブチルエーテル、１−メチル−２−ピロリジノン、１−エチル−２−ピロリジノン又はこれらの混合物を含む、請求項１に記載の組成物。
【請求項７】
１重量％を超え、かつ１０重量％未満の酸素化膨潤溶媒を含む、請求項１に記載の組成物。
【請求項８】
鹸化剤が、脂肪酸とアルカリ金属水酸化物又は水酸化アンモニウムの反応物を含む、請求項１に記載の組成物。
【請求項９】
鹸化剤が、脂肪酸エステルとアルカリ金属水酸化物又は水酸化アンモニウムの反応物を含む、請求項１に記載の組成物。
【請求項１０】
組成物が８〜１１のｐＨを有するのに十分なアルカリ金属水酸化物又は水酸化アンモニウムから形成されている、請求項１に記載の組成物。
【請求項１１】
組成物が９〜１１のｐＨを有するのに十分なアルカリ金属水酸化物又は水酸化アンモニウムから形成されている、請求項１に記載の組成物。
【請求項１２】
１〜１０重量％の増粘剤及び１〜１０重量％の界面活性剤をさらに含む、請求項１に記載の組成物。
【請求項１３】
アジリジン架橋した床仕上げ剤を除去できる、請求項１に記載の組成物。
【請求項１４】
０．００５〜０．１μｍの平均粒径を有するシリカ又はオルガノシリカ無機粒子をさらに含む、請求項１に記載の組成物。
【請求項１５】
ａ）フェニル置換アルキルアルコール、フェニル置換アルキルアルコール以外の酸素化膨潤溶媒、水、組成物が単相を有するのに十分な結合剤、及び、鹸化剤を含まない他の類似組成物と比較したときに、組成物がアルカリ性ｐＨを有し、かつ剥離後に減少した油性残留物を有するように、脂肪酸又は脂肪酸エステルと化学量論的に過剰なアルカリ金属水酸化物又は水酸化アンモニウムの反応物を含む十分な鹸化剤を含む組成物を架橋した床仕上げ剤に適用する工程；
ｂ）適用された組成物に少なくとも幾つかの床仕上げ剤を軟化させる工程；並びに
ｃ）床から組成物及び軟化した床仕上げ剤を除去する工程
を含む、床上の架橋した床仕上げ剤を剥離するか、又はディープ・スクラブする方法。
【請求項１６】
フェニル置換アルキルアルコールが、ベンジルアルコール、エチレングリコールフェニルエーテル、プロピレングリコールフェニルエーテル又はこれらの混合物を含む、請求項１５に記載の方法。
【請求項１７】
組成物が、５重量％を超え、かつ２５重量％未満のフェニル置換アルキルアルコールを含む、請求項１５に記載の方法。
【請求項１８】
酸素化膨潤溶媒が、プロピレングリコールモノブチルエーテルを含む、請求項１５に記載の方法。
【請求項１９】
酸素化膨潤溶媒が、ジプロピレングリコールジメチルエーテル、エチレングリコールモノブチルエーテル、ジエチレングリコールモノブチルエーテル、１−メチル−２−ピロリジノン、１−エチル−２−ピロリジノン又はこれらの混合物を含む、請求項１５に記載の方法。
【請求項２０】
組成物が、１重量％を超え、かつ１０重量％未満の酸素化膨潤溶媒を含む、請求項１５に記載の方法。
【請求項２１】
鹸化剤が、脂肪酸とアルカリ金属水酸化物又は水酸化アンモニウムの反応物を含む、請求項１５に記載の方法。
【請求項２２】
鹸化剤が、脂肪酸エステルとアルカリ金属水酸化物又は水酸化アンモニウムの反応物を含む、請求項１５に記載の方法。
【請求項２３】
組成物が８〜１０のｐＨを有するのに十分なアルカリ金属水酸化物又は水酸化アンモニウムから組成物が形成されている、請求項１５に記載の方法。
【請求項２４】
組成物が９〜１０のｐＨを有するのに十分なアルカリ金属水酸化物又は水酸化アンモニウムから組成物が形成されている、請求項１５に記載の方法。
【請求項２５】
床仕上げ剤がアジリジンによって架橋している、請求項１５に記載の方法。
【発明の詳細な説明】
【技術分野】
【０００１】
本発明は、床剥離及び床仕上げ剤の非破壊除去に関する。
【背景技術】
【０００２】
従来の床仕上げ剤は、適切な床剥離剤を用いる再仕上げのために除去し得る容易に分解可能な架橋部位を有するアクリレートポリマーを主成分とする。例えば、アクリレート床仕上げポリマーは、金属イオン架橋を頻繁に用いており、アルカリ性剥離剤を用いて除去される。増加した耐薬品性が仕上げに必要である用途（例えば、病院、並びに消毒用アルコール及び他の仕上げ−変色溶媒をこぼしてよい他の場所）については、余り容易に分解できない架橋剤（例えば、アジリジンなど）を利用してよい。しかし、再仕上げが望まれるときに、これが、古い仕上げ剤の除去を非常に困難にする場合がある。特に高い耐薬品性を有する仕上げ剤は、研磨などの機械的手段を用いて除去される必要があるかもしれない。これは、下層の床基材を損傷させることがある。また、幾つかの下層の床基材は、強い床剥離剤に利用される化学物質から損傷を受けやすい。例えば、リノリウムは、高ｐＨ条件下で褐変するであろう。
【０００３】
床剥離剤に関する参考文献としては、米国特許第号５，３４２，５５１明細書（Ｒｕｃｋｌｅ）、第５，４１９，８４８号明細書（Ｖａｎ  Ｅｅｎａｍ  ’８４８）、第５，６３７，５５９号明細書（Ｋｏｒｅｌｔｚら）、第５，８０４，５４１号明細書（Ｊａｎｓ）、第５，８４９，６８２号明細書（ＶａｎＥｅｎａｍ  ’６８２）、第５，９７７，０４２号明細書（Ｈｅｒｎａｎｄｅｚら）及び第６，５４４，９４２号明細書（Ｓｍｉｔｈら）、第６，５８３，１０１号明細書（Ｗｉｓｅｔｈら）、米国特許出願公開第２００２／００２８６２１号明細書（Ｌｅｖｉｔｔら）、第２００３／０１２５２２６号明細書（Ｌｅｗｉｓ）、第２００６／０２３４８９０号明細書（Ｇｒｉｅｓｅら）、第２００７／００８７９５２号明細書（Ｈｅｉら’９５２）、第２００７／００９５００３号明細書（Ｈｅｉら  ’００３）並びに国際公開第２００４／０９００８５号パンフレット（Ｖｏｃｆｒｅｅ社）が挙げられる。
【発明の概要】
【発明が解決しようとする課題】
【０００４】
特に、化学攻撃の影響を受けやすい床基材上で、化学的耐性のある架橋した床仕上げ剤を安全に除去できる床剥離剤についての需要がまだ満たされていない。
【課題を解決するための手段】
【０００５】
本発明は、一態様では、
ａ）フェニル置換アルキルアルコール；
ｂ）フェニル置換アルキルアルコール以外の酸素化膨潤溶媒；
ｃ）水；
ｄ）組成物が単相を有するのに十分な結合剤；及び
ｅ）鹸化剤を含まない他の類似組成物と比較したときに、組成物がアルカリ性ｐＨを有し、かつ剥離後に減少した油性残留物を有するために、脂肪酸又は脂肪酸エステルと化学量論的に過剰なアルカリ金属水酸化物又は水酸化アンモニウムの反応物を含む十分な鹸化剤
を含む、床仕上げ剥離剤組成物を提供する。
【０００６】
本発明は、別の態様では、
ａ）フェニル置換アルキルアルコール、フェニル置換アルキルアルコール以外の酸素化膨潤溶媒、水、組成物が単相を有するのに十分な結合剤、及び鹸化剤を含まない他の類似組成物と比較したときに、組成物がアルカリ性ｐＨを有し、かつ剥離後に減少した油性残留物を有するために、脂肪酸又は脂肪酸エステルと化学量論的に過剰なアルカリ金属水酸化物又は水酸化アンモニウムの反応物を含む十分な鹸化剤を含む組成物を床仕上げ剤に適用する工程；
ｂ）適用された組成物で少なくとも幾つかの床仕上げ剤を軟化させる工程；並びに
ｃ）床から組成物及び軟化した床仕上げ剤を除去する工程
を含む、床上の硬化した床仕上げ剤を剥離するか、又はディープ・スクラブ（ｄｅｅｐ  ｓｃｒｕｂｂｉｎｇ）する方法を提供する。
【０００７】
開示された組成物及び方法は、化学的耐性のある架橋床仕上げ剤を剥離するか、又はディープ・スクラブするために特に有用である。
【発明を実施するための形態】
【０００８】
語句「硬化性床仕上げ剤」とは、床上に不粘着膜を形成するために、化学的又は物理的プロセス（溶媒蒸発若しくは他の乾燥プロセス、光化学反応、電気化学反応、ラジカルプロセス、熱プロセス、イオン性プロセス、湿気硬化プロセス又は多成分（例えば、２又は３成分）架橋プロセスを含む）を経て、その場（ｉｎ  ｓｉｔｕ）で乾燥するか、架橋するか、或いは硬化することができる塗布された液体コーティングをいう。語句「硬化した床仕上げ剤」とは、そのように乾燥した、架橋した或いは硬化した仕上げ剤をいう。語句「化学的耐性のある架橋した床仕上げ剤」とは、例えば、イソプロピル又はエチルアルコールを含む消毒洗剤で一時的にコーティングされたときに、溶解又は変色しない仕上げ剤を提供するために硬化中に架橋された、硬化した床仕上げ剤をいう。
【０００９】
床仕上げ剤に関して使用される場合の用語「剥離」とは、そうすることが求められているようなときに、下層に設置された床基材から、前記床基材の実質的な部分を除去することなく、実質的に全ての硬化した床仕上げ剤を除去する工程をいう。好ましくは、そのような剥離では、最小限の研磨手段（例えば、開示された剥離剤のモップ又はスプレー塗布など）、短い固定時間、及び、例えば水又は洗剤溶液を用いるすすぎを利用する。剥離は、必要に応じて、さらに研磨できるが、床を安全に保つ手段｛例えば、不織布又はブラシの床スクラブパッドを備えた市販の回転式フロアマシン（時には「シングルディスクマシン」又は「スウィングマシン」とも呼ばれる）を用いて、固定時間中に仕上げ剤を研磨する工程｝と合わせて行なってよい。好ましくは、床に損傷を与える仕上げ剤除去工程（やすり掛けなど）を必要とせずに、剥離が行なわれる。床仕上げ剤に関して使用される場合の語句「ディープ・スクラブ（ｄｅｅｐ  ｓｃｒｕｂｂｉｎｇ）」とは、そうすることが求められているようなときに、仕上げられた全ての層を除去することなく、多層の硬化した床仕上げ剤の最上部を除去する工程をいう。床仕上げ剤に関して使用される場合の用語「再塗装」とは、そうすることが求められているようなときに、下層に設置された床基材上の磨耗した或いは劣化した床仕上げ剤を剥離又はディープ・スクラブして、追加の層又は硬化性床仕上げ剤の層を塗装し、硬化させて新たな硬化した床仕上げ剤表面を提供する工程をいう。
【００１０】
床剥離剤組成物に関して使用される場合の語句「膨潤溶媒」とは、設置された床上で、膨張できるか、或いは硬化した床仕上げ剤に吸収され得る有機液体をいう。
【００１１】
語句「難水溶性」とは、室温及び室内圧力での水中におけるそれ自体の溶解限度が約１０重量％未満であり、かつ十分な量の適切な結合剤の存在下で、そのような溶解限度より上の濃度において透明で均質な水溶液を形成できる材料をいう。
【００１２】
床剥離剤組成物に関して使用される場合の用語「濃縮物」とは、使用前に水で希釈されることになっている組成物をいう。床剥離剤組成物に関して使用される場合の語句「使用準備完了」とは、そのような希釈を行なうことなく使用してよい組成物をいう。
【００１３】
床剥離剤組成物に関して使用される場合の語句“実質的に無漂白」とは、好ましくない量の塩素系溶剤（例えば、塩化メチレン）（その存在が健康的又は環境的危険を引き起こし得る）を含まない組成物をいう。
【００１４】
各種のフェニル置換アルキルアルコールが、開示された組成物及び方法に利用され得る。好ましくは、フェニル置換アルキルアルコールは、約６０℃を超える引火点、低臭気及び低毒性を有し、そして好ましくは、少なくとも０．１重量％の水溶解度を有する。代表的なフェニル置換アルキルアルコールとしては、ベンジルアルコール（約４％水溶解度）；テルピネオール（例えば、α、β、γ、など；僅かな水溶解度）；エチレングリコールモノベンジルエーテル（水溶性）；α−フェニルエチルアルコール（＜０．１％水溶解度）、β−フェニルエチルアルコール（４％水溶解度）、エチレングリコールフェニルエーテル（約２％水溶解度、ダウ・ケミカル（Ｄｏｗ  Ｃｈｅｍｉｃａｌ）社からＤＯＷＡＮＯＬ（商標）ＥＰｈ（商標）として入手できる）、プロピレングリコールフェニルエーテル（約１％水溶解度、ダウ・ケミカル社からＤＯＷＡＮＯＬ  ＰＰｈ（商標）として入手できる）及びこれらの混合物が挙げられる。ベンジルアルコール、エチレングリコールフェニルエーテル及びプロピレングリコールフェニルエーテルが、好ましいフェニル置換アルキルアルコールである。フェニル置換アルキルアルコールは、例えば、全剥離剤組成物の少なくとも１重量％、少なくとも５重量％、少なくとも１０重量％、少なくとも１５重量％、少なくとも２０重量％又は少なくとも２５重量％に相当してよい。また、フェニル置換アルキルアルコールは、例えば、全剥離剤組成物の５０重量％未満、４０重量％未満、３０重量％未満、２０重量％未満又は１５重量％未満に相当してもよい。典型的には、適切な量は、選択されたフェニル置換アルキルアルコール、剥離剤組成物中の他の含有物、及び床仕上げ剤（その剥離又はディープ・スクラブが好ましい）の特性に応じて、いくらか変わるであろう。難水溶性フェニル置換アルキルアルコールが利用されるとき、フェニル置換アルキルアルコール量は、結合剤の存在しない通常の溶解限度未満であるか、又はより好ましくは通常の溶解限度を超えてよい。好ましいフェニル置換アルキルアルコール量は、全剥離剤組成物の５重量％を超え、かつ３０重量％未満であり、より好ましくは１０重量％を超え、かつ２０重量％未満である。
【００１５】
各種の酸素化膨潤溶媒が、開示された組成物及び方法に利用され得る。酸素化膨潤溶媒は、選択されたフェニル置換アルキルアルコールとは異なり、好ましくは、約６０℃を超える引火点、低臭気及び低毒性を有し、好ましくは、少なくとも０．１重量％の水溶解度を有する。代表的な酸素化膨潤溶媒としては、２−、３−又は４−アセトアミドフェノール（＜１．４％水溶解度）を含む、アルコール、エーテル、エステル、脂肪族の酸又は無水物、及びケトン；アセトアニリド（＜１％水溶解度）；アセトフェノン（＜１％水溶解度）；２−アセチル−１−メチルピロール；ベンジルアセテート（＜１％水溶解度）；ベンジルベンゾエート（＜１％水溶解度）；酸素化エッセンシャルオイル（例えば、ベンズアルデヒド、カルボン、シンナムアルデヒド、ボルネオール及びそのエステル、シトラール、リナロール及びそのエステル）；二塩基性エステル、例えば、アジピン酸ジメチル、コハク酸ジメチル、グルタル酸ジメチル（多くの場合には混合物として入手できる、例えば、デュポン・ナイロン（ＤｕＰｏｎｔ  Ｎｙｌｏｎ）社から商品名ＤＢＥ（商標）、ＤＢＥ−３、ＤＢＥ−４、ＤＢＥ−５、ＤＢＥ−６、ＤＢＥ−９、ＤＢＥ−ＩＢ、及びＤＢＥ−ＭＥとして入手できる製品など）、マロン酸ジメチル、アジピン酸ジエチル、コハク酸ジエチル、グルタル酸ジエチル、コハク酸ジブチル、及びグルタル酸ジブチルなど；ジアルキルカーボネート（例えば、ジメチルカーボネート、ジエチルカーボネート、ジプロピルカーボネート、ジイソプロピルカーボネート、及びジブチルカーボネートなど）；Ｃ１−１２脂肪族酸（例えば、酢酸又はコハク酸など）；Ｃ１−１２脂肪族無水物（例えば、無水酢酸又は無水コハク酸など）；オルガノ−ホスフェート及びホスホネート（例えば、トリブチルホスフェート、トリプロピルホスフェート、２−エチル−１−ヘキシルホスフェートなど）；フタル酸エステル（例えば、フタル酸ジブチル、フタル酸ジエチルヘキシル、及びフタル酸ジエチルなど）；ピロリジノン（例えば、１−メチル−２−ピロリジノン（ＮＭＰ）及び１−エチル−２−ピロリジノン（ＮＥＰ）など）；及びこれらの混合物が挙げられる。追加の代表的な酸素化溶媒としては、アミルアセテート、アミルアルコール、ブタノール、３−ブトキシエチル−２−プロパノール、ブチルアセテート、ｎ‐ブチルプロピオネート、シクロヘキサノン、ジアセトンアルコール、ジエトキシエタノール、ジエチレングリコールメチルエーテル、ジイソブチルカルビノール、ジイソブチルケトン、ジメチルヘプタノール、ジプロピレングリコールｔｅｒｔ‐ブチルエーテル、エタノール、酢酸エチル、２−エチルヘキサノール、エチルプロピオネート、エチレングリコールメチルエーテルアセテート、ヘキサノール、イソブタノール、イソブチルアセテート、イソブチルヘプチルケトン、イソホロン、イソプロパノール、イソプロピルアセテート、メタノール、メチルアミルアルコール、メチルｎ−アミルケトン、２−メチル−１−ブタノール、メチルエチルケトン、メチルイソブチルケトン、１−ペンタノール、ｎ−ペンチルプロピオネート、１−プロパノール、ｎ−プロピルアセテート、ｎ−プロピルプロピオネート、プロ���レングリコールエチルエーテル、トリプロピレングリコールメチルエーテル（ダウ・ケミカル社からＤＯＷＡＮＯＬ  ＴＰＭとして市販されている）、ジプロピレングリコールジメチルエーテル（ダウ・ケミカル社からＰＲＯＧＬＹＤＥ（商標）ＤＭＭとして市販されている）、トリプロピレングリコールｎ‐ブチルエーテル（ダウ・ケミカル社からＤＯＷＡＮＯＬ  ＴＰＮＢとして市販されている）、ジエチレングリコールｎ‐ブチルエーテルアセテート（ダウ・ケミカル社からＢｕｔｙｌ  ＣＡＲＢＩＴＯＬ（商標）ａｃｅｔａｔｅとして市販されている）、ジエチレングリコールモノブチルエーテル（ダウ・ケミカル社からＢｕｔｙｌ  ＣＡＲＢＩＴＯＬとして市販されている）、エチレングリコールｎ‐ブチルエーテルアセテート（ダウ・ケミカル社からＢｕｔｙｌ  ＣＥＬＬＯＳＯＬＶＥ（商標）ａｃｅｔａｔｅとして市販されている）、エチレングリコールモノブチルエーテル（ダウ・ケミカル社からＢｕｔｙｌ  ＣＥＬＬＯＳＯＬＶＥとして市販されている）、ジプロピレングリコールモノブチルエーテル（ダウ・ケミカル社からＢｕｔｙｌ  ＤＩＰＲＯＰＡＳＯＬ（商標）として市販されている）、プロピレングリコールモノブチルエーテル（ダウ・ケミカル社からＤＯＷＡＮＯＬ  ＰｎＢとして市販されている）、エチル３−エトキシプロピオネート（ダウ・ケミカル社からＵＣＡＲ（商標）Ｅｓｔｅｒ  ＥＥＰとして市販されている）、２，２，４−トリメチル−１，３−ペンタンジオールモノイソブチレート（ダウ・ケミカル社からＵＣＡＲ  ＦＩＬＭＥＲ（商標）ＩＢＴとして市販されている）、ジエチレングリコールモノヘキシルエーテル（ダウ・ケミカル社からＨｅｘｙｌ  ＣＡＲＢＩＴＯＬとして市販されている）、エチレングリコールモノヘキシルエーテル（ダウ・ケミカル社からＨｅｘｙｌ  ＣＥＬＬＯＳＯＬＶＥとして市販されている）、ジエチレングリコールモノメチルエーテル（ダウ・ケミカル社からＭｅｔｈｙｌ  ＣＡＲＢＩＴＯＬとして市販されている）、ジエチレングリコールモノエチルエーテル（ダウ・ケミカル社からＣＡＲＢＩＴＯＬとして市販されている）、エチレングリコールメチルエーテルアセテート（ダウ・ケミカル社からＭｅｔｈｙｌ  ＣＥＬＬＯＳＯＬＶＥ  ａｃｅｔａｔｅとして市販されている）、エチレングリコールモノメチルエーテル（ダウ・ケミカル社からＭｅｔｈｙｌ  ＣＥＬＬＯＳＯＬＶＥとして市販されている）、ジプロピレングリコールモノメチルエーテル（ダウ・ケミカル社からＭｅｔｈｙｌ  ＤＩＰＲＯＰＡＳＯＬとして市販されている）、プロピレングリコールメチルエーテルアセテート（ダウ・ケミカル社からＭｅｔｈｙｌ  ＰＲＯＰＡＳＯＬ  ａｃｅｔａｔｅとして市販されている）、プロピレングリコールモノメチルエーテル（ダウ・ケミカル社からＭｅｔｈｙｌ  ＰＲＯＰＡＳＯＬとして市販されている）、ジエチレングリコールモノプロピルエーテル（ダウ・ケミカル社からＰｒｏｐｙｌ  ＣＡＲＢＩＴＯＬとして市販されている）、エチレングリコールモノプロピルエーテル（ダウ・ケミカル社からＰｒｏｐｙｌ  ＣＥＬＬＯＳＯＬＶＥとして市販されている）、ジプロピレングリコールモノプロピルエーテル（ダウ・ケミカル社からＰｒｏ��ｙｌ  ＤＩＰＲＯＰＡＳＯＬとして市販されている）及びプロピレングリコールモノプロピルエーテル（ダウ・ケミカル社からＰｒｏｐｙｌ  ＰＲＯＰＡＳＯＬとして市販されている）及びこれらの混合物が挙げられる。好ましい酸素化膨潤溶媒としては、プロピレングリコールモノブチルエーテル、ジプロピレングリコールジメチルエーテル、エチレングリコールモノブチルエーテル、ジエチレングリコールモノブチルエーテル、ＮＭＰ、ＮＥＰ及びこれらの混合物が挙げられる。ベンジルアルコールなどのフェニル置換アルキルアルコールと合わせたときに、幾つかの酸素化膨潤溶媒（例えば、ＮＭＰ又はＮＥＰ）は、剥離性能に相乗的な向上を提供し得る。必要に応じて、低引火点溶媒のみを含むものよりも許容可能な可燃特性を有する組成物を提供するために、少量の低引火点酸素化膨潤溶媒（例えば、１，３−ジオキソランホス（引火点約−６℃）、エタノール（引火点１２℃）、イソプロパノール（引火点１２℃）及び当業者によって知られているであろう他の溶媒など）を多量のより高い引火点の酸素化膨潤溶媒と共に含有させてよい。酸素化膨潤溶媒は、例えば、全剥離剤組成物の少なくとも１重量％、少なくとも４重量％、少なくとも１０重量％、少なくとも１５重量％又は少なくとも２０重量％に相当してよい。また、酸素化膨潤溶媒は、例えば、全剥離剤組成物の４０重量％未満、３０重量％未満、２０重量％未満、１５重量％未満、１０重量％未満又は５重量％未満に相当してよい。典型的には、この適切な量は、選択された酸素化膨潤溶媒、剥離剤組成物中の他の含有物、床仕上げ剤（その剥離又はディープ・スクラブが好ましい）の特性に応じていくらか変化するであろう。難水溶性酸素化膨潤溶媒を利用するとき、酸素化膨潤溶媒量は、結合剤の存在しない通常の溶解限度未満であるか、又はより好ましくは通常の溶解限度を超えてよい。好ましい酸素化膨潤溶媒量は、全剥離剤組成物の１重量％を超え、かつ１０重量％未満であり、より好ましくは４重量％を超え、かつ１０重量％未満である。
【００１６】
水道水、脱イオン水、蒸留水又は任意の他の適切な形態の水が、開示された組成物及び方法に使用されてよい。軟水又は低い全体的な硬度を有する水の使用は、開示された組成物の硬化した床仕上げ剤への適用を促進し、そして撥水（ｄｅｗｅｔｔｉｎｇ）を制限し得る。水は、例えば、全剥離剤組成物の少なくとも５重量％、少なくとも１０重量％、少なくとも２０重量％、少なくとも２５重量％、少なくとも３０重量％、少なくとも４０重量％、少なくとも５０重量％又は少なくとも６０重量％に相当してよい。また、水は、例えば、全剥離剤組成物の８０重量％未満、７０重量％未満、６０重量％未満、５５重量％未満、５０重量％未満、４０重量％未満、３０重量％未満又は２０重量％未満に相当してよい。典型的には、この適切な量は、剥離剤組成物中の他の含有物及び床仕上げ剤（その剥離又はディープ・スクラブが好ましい）の特性に応じて、いくらか変化するであろう。本組成物は、使用準備完了形態で販売されるか、又は必要に応じて、例えば剥離よりもディープ・スクラブが好ましい場合には、追加の水によって希釈されるように設計された水含有濃縮物として販売され得る。使用準備完了組成物で用いる好ましい水量は、全剥離剤組成物の約１０〜約７０重量％、及びより好ましくは約２０〜約６０重量％である。
【００１７】
各種の結合剤が、開示された組成物及び方法に利用され得る。好ましくは、結合剤は、剥離剤組成物中の１つ以上の疎水性含有物のための溶解度向上剤として機能し、炭素原子（例えば、約２〜約１１個の炭素原子）又はヘテロ原子（例えば、窒素又は硫黄）を含んでよく、そしてそのような炭素原子、ヘテロ原子及び部分が、本組成物が単相になるのを阻害せず、かつ選択された塗布器を利用するときに過度の発泡を起こさない限り、様々な部分（例えば、ヒドロキシル、エステル、アルデヒド又はアルキル基）で置換されてよい。その関連では、モップ、スポンジ又は他の単純な適用デバイスを用いるとき、発泡がほとんど起こらず、結合剤選択における更なる自由度が得られるであろうことに注目されたい。また、回転式フロアマシン又は他の電動適用デバイスを用いるときは、更なる発泡が起こり、そして、結合剤選択における自由度はほとんど得られないであろう。代表的な結合剤としては、様々な芳香族酸、芳香族酸の水溶性アルカリ金属塩、水溶性有機アミン、そのようなアミンの水溶性塩、及びこれらの混合物が挙げられる。クメンスルホン酸ナトリウム、クメンスルホン酸カリウム、ヒドロキシエタンスルホン酸、トルエンスルホン酸、キシレンスルホン酸、メチルナフタレンスルホン酸、１−ヒドロキシエチリデン−１，１−ジホスホン酸、ｎ‐ブチル過リン酸塩、フェニル過リン酸塩、ジメチルピロリン酸、２−ホスホノブタン−１，２，４−トリカルボン酸、安息香酸、ヒドロキシ安息香酸（例えば、２−ヒドロキシ安息香酸）、ジヒドロキシ安息香酸（例えば、３，５−ジヒドロキシ安息香酸）、ピリジンカルボン酸（例えば、２−ピリジンカルボン酸）、ピリジンジカルボン酸（例えば、２，６−ピリジンジカルボン酸）、スルホコハク酸、モノエタノールアミン（ＭＥＡ）、２−アミノメチルプロパノール（ＡＭＰＳ）、酸（クメンスルホン酸など）とアミン（ＭＥＡなど）を化合させることにより形成された反応物、アミノトリ（メチレンホスホン酸）及びこれらの混合物を含む多くの結合剤が、入手できる。結合剤は、任意の適切な純度を有してよい。しかし、好ましくは、少なくとも３０％純度の結合剤が利用される。組成物が単相を有するのに十分な結合剤を利用するべきである。したがって、好ましい結合剤量は、選択されたフェニル置換アルキルアルコール及び酸素化膨潤溶媒の水溶解度に応じて、いくらか変化するであろう。しかし、通常は、フェニル置換アルキルアルコール及び酸素化膨潤溶媒の少なくとも１つ、そして時には両方が、結合剤の存在しないそれらの水溶解限度を上回る量で存在し得るので、結合剤は、単相剥離剤組成物を提供するために必要とされるであろう。開示された組成物が濃縮物として形成されるとき、結合剤は、例えば、全濃縮物重量の約０．１〜約２０重量％、約１〜約１０重量％又は約３〜約８重量％に相当してよい。
【００１８】
各種の鹸化剤が、開示された組成物及び方法に利用され得る。鹸化剤は、脂肪酸又は脂肪酸エステルと（水酸化物の当量と比べたときの酸基又はエステル結合の当量を基準として）化学量論的に過剰なアルカリ金属水酸化物又は水酸化アンモニウムとの反応物を含む。好ましくは、脂肪酸又は脂肪酸エステル及びそれらから形成された鹸化剤は、低臭気か、又は少なくとも不快ではない臭気を有する。各種の脂肪酸又は脂肪酸エステルが利用され得る。脂肪酸又は脂肪酸エステルは、例えば、飽和又は不飽和でよく、そして自然発生であるか、又は合成され得る。脂肪酸又は脂肪酸エステルは、例えば約２〜約３４個の脂肪族炭素原子を含んでよいが、注意として、発香性（ｏｄｉｆｅｒｏｕｓ）酸又はエステル（例えば、酪酸及びカプロン酸など）は使用禁止とされる。代表的な飽和脂肪酸としては、酢酸、カプリル酸、カプリン酸、ラウリン酸、ミリスチン酸、パルミチン酸、ステアリン酸、アラキジン酸、ベヘン酸及びこれらの混合物が挙げられる。代表的な不飽和脂肪酸としては、ミリストレイン酸、パルミトレイン酸、オレイン酸、リノレイン酸、α−リノレン酸、アラキドン酸、エイコサペンタエン酸、エルカ酸、ドコサヘキサエン酸及びこれらの混合物（例えば、ヤシ油脂肪酸）が挙げられる。代表的な脂肪酸エステルとしては、上述の脂肪酸の非発香性アルキルエステルが挙げられる。脂肪酸又は脂肪酸エステルは、例えば、全剥離剤組成物の少なくとも１重量％、少なくとも３重量％、少なくとも５重量％、少なくとも６重量％、少なくとも７重量％又は少なくとも９重量％に相当してよい。また、脂肪酸又は脂肪酸エステルは、例えば、全剥離剤組成物の３０重量％未満、２０重量％未満、１５重量％未満又は１０重量％未満に相当してよい。典型的には、この適切な量は、選択されたフェニル置換アルキルアルコール及び剥離剤組成物中の他の含有物に応じて、いくらか変化するであろう。好ましい脂肪酸又は脂肪酸エステル量は、全剥離剤組成物の５重量％を超え、かつ２５重量％未満であり、より好ましくは６重量％を超え、かつ２０重量％未満である。
【００１９】
鹸化剤を形成するために、各種の水酸化物化合物を、脂肪酸又は脂肪酸エステルと混合してよい。代表的な水酸化物化合物としては、水酸化リチウム、水酸化ナトリウム、水酸化カリウム及び水酸化アンモニウムが挙げられ、水酸化ナトリウム及び水酸化アンモニウムが好ましい。水酸化物化合物の量は、利用された脂肪酸又は脂肪酸エステルの酸当量の数を基準として決定してよい。剥離剤組成物が、アルカリ性ｐＨ、例えば、７を超え、好ましくは、１１以下のｐＨ値を有するように、十分に過剰な水酸化物化合物を利用すべきである。１０を超えるｐＨ値を有する剥離剤組成物が、リノリウムに染みてよい。剥離剤組成物のための好ましいｐＨは、約８〜約１１、約８〜約１０、約９〜約１１又は約９〜約１０である。
【００２０】
鹸化剤を含まない他の類似組成物と比較したときに、剥離剤組成物が、剥離後に減少した油性残留物を有するか、好ましくは、剥離剤組成物が、剥離後（剥離された表面を手又は布で拭うことにより評価されるとき）に最大限でも僅かに油性の残留物を残す程度か、より好ましくは、剥離剤組成物が、剥離後に油性残留物を残さないように、十分な鹸化剤が使用される。鹸化剤は、例えば、全剥離剤組成物の少なくとも２重量％、少なくとも３重量％、少なくとも５重量％、少なくとも８重量％、少なくとも１０重量％又は少なくとも１５重量％に相当してよい。また、鹸化剤は、例えば、全剥離剤組成物の３０重量％未満、２５重量％未満、２０重量％未満、１５重量％未満又は１０重量％未満に相当してよい。典型的には、この適切な量は、選択されたフェニル置換アルキルアルコール及び剥離剤組成物中の他の含有物に応じて、いくらか変化するであろう。好ましい鹸化剤量は、全剥離剤組成物の５重量％を超え、かつ３０重量％未満であり、より好ましくは１０重量％を超え、かつ２０重量％未満である。
【００２１】
また、開示された組成物は、１つ以上の界面活性剤を含んでよい。代表的な界面活性剤は、当業者によく知られており、アニオン性、カチオン性、両性及び非イオン性界面活性剤、及びこれらの混合物を含むであろう。典型的な界面活性剤としては、脂肪アルコール（例えば、飽和又は不飽和Ｃ４−３４脂肪アルコール）及び米国特許第６，５４４，９４２号明細書に開示されている界面活性剤が挙げられる。界面活性剤の量は、開示された組成物中の他の含有物の種類及び量、好ましい希釈度、及び当業者によく知られているであろう他の要因などの要因によって変化してよい。一般的な指針として、界面活性剤の量は、全剥離剤組成物の約０．１〜約２０重量％、約１〜約１５重量％、約１〜約１０重量％又は約１〜約５重量％でよい。
【００２２】
また、開示された組成物は、１つ以上の増粘剤を含んでもよい。剥離剤組成物が被剥離領域の外側の好ましくない領域（例えば、敷物類、剥離されない床材、又は店舗陳列物及び棚の下の領域など）中に流れる傾向を減らすことにより、そして剥離剤組成物が、剥離されない領域内の高い部分から低い部分へ流れる傾向を減らすことにより、増粘剤は、塗布された後に組成物がしっかり留まることを容易にする。各種の増粘剤を利用してよい。好ましい増粘剤は、剥離剤組成物を通した光透過を過度に妨げず、床基材に塗布された後に透明となり得る組成物を提供する。代表的な増粘剤としては、アルカリ膨潤性又はアルカリ溶解性エマルション（ＡＳＥ増粘剤）及び疎水的に改質されたＡＳＥ増粘剤（ＨＡＳＥ増粘剤）を含むポリアクリル酸コポリマー；疎水的に改質されたエトキシル化ウレタン樹脂（ＨＥＵＲ増粘剤）を含むウレタンコポリマー；例えば、ヒドロキシプロピルセルロース、エチルセルロース、エチルヒドロキシエチルセルロース、メチルセルロース及び他のアルキル又はヒドロキシアルキルセルロースエーテルなどのセルロースエーテル；コロイダルシリカを含むシリカ；例えば、ベントナイト及びモンモリロナイトなどの粘土；糊；コロイダルアルミナを含むアルミナ；アラビアゴム；トラガカント；寒天；糖誘導体；高分子量ポリエチレンオキシド；グアーガム；キサンタンゴム；ポリビニルピロリドン；メチルビニルエーテル／無水マレイン酸コポリマー並びに米国特許第５，３６４，５５１号明細書（Ｌｅｎｔｓｃｈら）、第５，４１９，８４８号明細書（ＶａｎＥｅｎａｍ  ’８４８）、第５，６９６，０７２（Ｎｅｒｃｉｓｓｉａｎｔｚら）号明細書、第６，０１０，９９５号明細書（Ｖａｎ  Ｅｅｎａｍ  ’９９５）、第６，５８６，３８０号明細書（Ｍａｒｑｕｉｓら）、第６，６３０，４３４号明細書（Ｂｅｓｓｅら）及び第６，８３３，３４１号明細書（Ｍａｃｈａｃ、Ｊｒ．ら）に開示されている他の増粘剤若しくは増粘系が挙げられる。増粘剤量は、好ましい保管、分散及び塗布後の粘度並びに好ましいレオロジー挙動によって変化してよい。典型的な市販されている増粘剤としては、カール・アンド・カンパニー（Ｋａｈｌ＆Ｃｏ）製のＷＯＫＡＭＥＲ（商標）Ｃ３３０１ポリアクリル酸コポリマー、及びインターポリマー（Ｉｎｔｅｒｐｏｌｙｍｅｒ）社製のＳＹＮＴＲＡＮ（商標）１５０１水性アクリルコポリマーが挙げられる。好ましい増粘剤量は、全剥離剤組成物の約１〜約１０重量％である。
【００２３】
開示された組成物は、無機粒子（例えば、研磨剤粒子）を含んでよい。無機粒子の代表的な目録は、米国特許第６，８００，３５３号明細書（Ａｎｄｅｒｓｏｎら）に示されている。約０．００５〜約０．１μｍの平均粒径を有するシリカ又はオルガノシリカ無機粒子が好ましい。好ましい無機粒子量は、全剥離剤組成物の約５〜約２０重量％である。
【００２４】
開示された組成物は、殺菌剤、キレート剤、ビルダー、脱泡剤、香料、染料、指示薬、色材、抗腐食添加剤、防さび添加剤、光安定剤及び酸化防止剤を含む他の補助剤を含んでよい。そのような補助剤の種類及び量は、当業者によく知られているであろう。
【００２５】
それらの様々な含有物について幾つかの提案されている処方及び提案されている範囲が、下記の表１で説明されている。
【００２６】
【表１】
2011504203.tif 000002
【００２７】
開示された組成物は、ボトル、ドラム缶、剥離剤／洗浄剤の適用中に使用者によって運ばれるための分配器、及び混合又は分配デバイスに交換可能な状態で取り付けられるための分配器（例えば、壁掛け式の自立又は卓上分配ステーション）を含む幾つかの便利な形態で充填されてよい。適切な包装の種類及び設計は、当業者によく知られているであろう。
【００２８】
各種の床基材が、開示された方法を用いて剥離され得る。典型的な床基材としては、弾性床基材（例えば、ビニル組成物タイル、ビニル床材（ＰＶＣ床材を含む）、リノリウム、ゴムシート、ゴムタイル、コルク及び合成スポーツ用床材など）、並びに非弾性床基材（例えば、テラゾ、コンクリート、石材、大理石、スレート、セラミックタイル、グラウト、及びドライシェイク床材など）が挙げられる。そのような床基材は、新しい又は現存する居住用、工業用及び政府又は政府機関の所有する場所を伴う屋内及び屋外の場所を含む各種の現場で設置され得る。
【００２９】
各種の硬化した床仕上げ剤が、開示された方法を用いて、剥離又はディープ・スクラブされ得る。代表的な入手できる床仕上げ剤としては、ＰＡＤＬＯＣＫ（商標）、ＧＥＭＳＴＡＲ  ＬＡＳＥＲ（商標）、ＧＥＭＳＴＡＲ  ＰＯＬＡＲＩＳ（商標）、ＲＩＶＥＴ（商標）、並びにＴＡＪ  ＭＡＨＡＬ（商標）アクリル床仕上げ剤、ＧＬＯＳＳＴＥＫ  １００（商標）及びＯＲＩＯＮ（商標）ポリウレタン床仕上げ剤及びＣＯＵＲＴＭＡＳＴＥＲ  ＩＩ（商標）、ＩＳＩ  ＳＴＡＲ（商標）、ＴＵＫＬＡＲ  ＭＥＤＩＣＡＬ（商標）、並びにＬＯＤＡＮ  ＳＴＡＲ（商標）仕上げ剤、全てイーコラブ（Ｅｃｏｌａｂ）社製；３Ｍ社製ＣＯＲＮＥＲＳＴＯＮＥ（商標）及びＴＯＰＬＩＮＥ（商標）アクリル床仕上げ剤；Ｂｅｔｃｏ社製ＢＥＴＣＯ  ＢＥＳＴ（商標）床仕上げ剤；Ｂｕｔｃｈｅｒｓ社製ＨＩＧＨ  ＮＯＯＮ（商標）アクリル仕上げ剤；バックアイ・インターナショナル（Ｂｕｃｋｅｙｅ  Ｉｎｔｅｒｎａｔｉｏｎａｌ）社製ＣＩＴＡＴＩＯＮ（商標）及びＣＡＳＴＬＥＧＵＡＲＤ（商標）アクリル仕上げ剤；Ｊｏｈａｎｎｅｓ  Ｋｉｅｌ  ＫＧ社製ＴＨＥＲＭＯＨＯＳＰＩＴＡＬ（商標）艶出し剤；Ｓ．Ｃ．ジョンソン・プロフェッショナル・プロダクツ（Ｊｏｈｎｓｏｎ  Ｐｒｏｆｅｓｓｉｏｎａｌ  Ｐｒｏｄｕｃｔｓ）社製ＣＯＭＰＬＥＴＥ（商標）、ＳＩＧＮＡＴＵＲＥ（商標）、ＴＥＣＨＮＩＱＵＥ（商標）及びＶＥＣＴＲＡ（商標）アクリル床仕上げ剤及びＯＶＥＲ  ＡＮＤ  ＵＮＤＥＲ（商標）床封止剤；ジョンソン・ディバーシー（ＪｏｈｎｓｏｎＤｉｖｅｒｓｅｙ）社製ＴＡＳＫＩ  ＪＯＮＴＥＣシリーズの仕上げ剤（ＥＳＤ（商標）、ＥＴＥＲＮＵＭ（商標）、ＬＩＮＯＳ  ＡＦＥ（商標）、ＬＵＮＡ（商標）、ＭＡＴＴ（商標）、ＲＥＳＩＴＯＬ（商標）、ＴＩＭＥＳＡＶＥＲ（商標）及びＴＲＡＦＦＩＣ（商標）仕上げ剤を含む）；ミニットマン・インターナショナル（Ｍｉｎｕｔｅｍａｎ，Ｉｎｔｅｒｎａｔｉｏｎａｌ）社製ＳＰＬＥＮＤＯＲ（商標）、ＤＥＣＡＤＥ９０（商標）、ＰＲＩＭＥ  ＳＨＩＮＥ（商標）ＵＬＴＲＡ及びＰＲＥＭＩＥＲ（商標）アクリル仕上げ剤並びにＦＩＲＳＴ  ＲＯＵＮＤ及びＦＯＲＴＲＥＳＳ（商標）ウレタンアクリル仕上げ剤；ミニットマン・インターナショナル社製ＡＣＲＹＬ−ＫＯＴＥ（商標）Ｓｅａｌ  ａｎｄ  Ｆｉｎｉｓｈ及びＰＲＥＰ  Ｆｌｏｏｒ  Ｓｅａｌ；ミニットマン・インターナショナル社製ＵＬＴＲＡ  ＴＣ（商標）及びＵＶ  Ｉ−ＦＩＮＩＳＨ（商標）ＵＶ−硬化性仕上げ剤；ドクター・シェル・ケミー（Ｄｒ．  Ｓｃｈｎｅｌｌ  Ｃｈｅｍｉｅ）社製ＯＮ  ＴＯＰ（商標）硬質床コーティング；サービスマスター（ＳｅｒｖｉｃｅＭａｓｔｅｒ）社製ＦＬＯＯＲＳＴＡＲ（商標）Ｐｒｅｍｉｕｍ２５床仕上げ剤；スパルタン・ケミカル（Ｓｐａｒｔａｎ  Ｃｈｅｍｉｃａｌ）社製ＵＰＰＥＲ  ＬＩＭＩＴＳ（商標）アクリル仕上げ剤及びＩＳＨＩＮＥ（商標）光学的に明るい床仕上げ剤並びにタナ−ケミー（Ｔａｎａ−Ｃｈｅｍｉｅ）社製ＬＯＮＧＬＩＦＥ  ＨＯＳＰＩＴＡＬ（商標）仕上げ剤が挙げられる。開示された組成物は、化学的耐性のある架橋床仕上げ剤（例えば、アジリジンを用いて架橋され、かつ従来の剥離剤を用いても通常は除去できない上述のＴＵＫＬＡＲ  ＭＥＤＩＣＡＬ仕上げ剤）を剥離又は洗浄するための特定の有用性を有する。
【００３０】
濃縮形態の場合には、剥離剤／洗浄剤は、使用前に、例えば、目的とする使用場所で、水によって希釈されるべきである。普通の水道水、軟水又はプロセス水を利用してよい。通常は、濃縮物：水の希釈比は、少なくとも１：１、例えば、少なくとも１：２、少なくとも１：３、少なくとも１：４、少なくとも１：５、少なくとも１：６、少なくとも１：８、少なくとも１：１０以上の体積比であろう。各種の混合法を利用してよい。モップバケツ中の混合は、その一方法であり、好ましいであろう。剥離剤／洗浄剤は、当業者によく知られているであろう技術（例えば、フラット又はストリングモップ、スキージ、ローラー又はタオルを用いる）を用いて塗布してよい。塗布された剥離剤／洗浄剤は、それが床仕上げ剤を軟化又はディープ・スクラブする内は、適切な時間（例えば、少なくとも１０分間、少なくとも２０分間又は少なくとも３０分間、必要に応じて、１時間以下、２時間以上）置いておくべきである。所望により、パスを重ねて湿潤表面を念入りに維持する工程を用いて、適切で柔らかい研磨剤（例えば、３Ｍ社製グリーン又はブラックＳＣＯＴＣＨ−ＢＲＩＴＥ（商標）フロアメンテナンスパッド）を備えた回転式フロアマシンを用いて床仕上げ剤及び剥離剤／洗浄剤を研磨してよい。真空化、モップ掛け、スクラブ、雑巾掛け又は剥離を含む当業者によく知られているであろう各種の技術を用いて本組成物（及び、剥離が目的である場合には軟化仕上げ剤）を除去してよい。水を少なくとも１回及び好ましくは２回以上適用して、剥離された床又はディープ・スクラブされた床仕上げ剤をすすぎ洗いして乾燥させ、床仕上げ剤の単層又は複層をそこに塗布して、硬化を起こすか、又は硬化させてよい。床仕上げ剤の１回以上の塗布及び塗布間の追加の乾燥時間が、下層の床又は床仕上げ剤の多孔性部分が適切に充填されることを確実にするために必要であろう。
【実施例】
【００３１】
次の非限定的な実施例（その全ての部及びパーセント（％）は、他に指定のない限り、質量を基準とする）において本発明をさらに説明する。
【００３２】
実施例１
下記表２に示された含有物及び量を用いて、使用準備完了剥離製剤を形成した。混合物は透明な単相溶液を形成した。
【００３３】
【表２】
2011504203.tif 000003
【００３４】
得られた剥離剤組成物を用いて、３０〜５０ｍ２／Ｌ（１，２００〜２，０００ｆｔ２／ガロン）のコーティング速度で塗布されているアジリジン架橋したＴＵＫＬＡＲ  ＭＥＤＩＣＡＬ床仕上げ剤（イーコラブ社製）の３回塗りによってコーティングされたビニル複合タイルを剥離した。組成物は容易に塗布されたが、撥水していないようだった。塗布された組成物を１０〜２０分の接触時間残しておいて、次に手で拭うか、又は１８０ＲＰＭで稼動しており、かつグリーン、ブラウン又はブルーＳＣＯＴＣＨ−ＢＲＩＴＥ（商標）研磨パッド（３Ｍ社製）を備えている回転式フロアマシンを用いてスクラブし、次に水で２回すすぎ洗いした。１０又は２０分の接触時間のいずれかの後に、仕上げ剤の全塗装を完全に除去した。タイルのすすぎ洗い後、油性残留物は全く残らなかった。
【００３５】
実施例２
下記表３に示された含有物及び量を用いて、使用準備完了剥離製剤を形成した。混合物は透明な単相溶液を形成した。
【００３６】
【表３】
2011504203.tif 000004
【００３７】
実施例１の方法を用いて、得られた剥離剤組成物を評価し、次の主観的尺度を用いて、湿潤挙動及び除去性について評価した。
【００３８】
【表４】
2011504203.tif 000005
【００３９】
【表５】
2011504203.tif 000006
【００４０】
本剥離剤組成物は、良好な湿潤挙動（尺度２）を示し、１回塗布後に完全な仕上げ剤除去（尺度３）を提供した。僅かに油性の残留物のみが剥離されたタイル上に残った。水酸化ナトリウム及び脂肪酸の除去は、剥離後に問題になるほどの油性残留物を残し得る剥離剤組成物を提供するであろう。そのような残留物は、剥離された面上を歩いているヒトを滑らせ、転倒させて負傷させる原因となる場合があった。
【００４１】
本発明の範囲及び理念から逸脱することなく、当業者にとっては本発明の様々な改良及び変化が自明であろう。当然のことながら、本発明は、上記で説明したような説明的な実施形態に限定されない。
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
ａ）フェニル置換アルキルアルコール；
ｂ）フェニル置換アルキルアルコール以外の酸素化膨潤溶媒；
ｃ）水；
ｄ）組成物が単相を有するのに十分な結合剤；
ｅ）鹸化剤を含まない他の類似組成物と比較したときに、組成物がアルカリ性ｐＨを有し、かつ剥離後に減少した油性残留物を有するように、脂肪酸又は脂肪酸エステルと化学量論的に過剰なアルカリ金属水酸化物又は水酸化アンモニウムの反応物を含む十分な鹸化剤
を含む、床仕上げ剥離剤組成物。
【請求項２】
フェニル置換アルキルアルコールが、ベンジルアルコールを含む、請求項１に記載の組成物。
【請求項３】
フェニル置換アルキルアルコールが、エチレングリコールフェニルエーテル若しくはプロピレングリコールフェニルエーテル又はこれらの混合物を含む、請求項１に記載の組成物。
【請求項４】
５重量％を超え、かつ２５重量％未満のフェニル置換アルキルアルコールを含む、請求項１に記載の組成物。
【請求項５】
酸素化膨潤溶媒が、プロピレングリコールモノブチルエーテルを含む、請求項１に記載の組成物。
【請求項６】
酸素化膨潤溶媒が、ジプロピレングリコールジメチルエーテル、エチレングリコールモノブチルエーテル、ジエチレングリコールモノブチルエーテル、１−メチル−２−ピロリジノン、１−エチル−２−ピロリジノン又はこれらの混合物を含む、請求項１に記載の組成物。
【請求項７】
１重量％を超え、かつ１０重量％未満の酸素化膨潤溶媒を含む、請求項１に記載の組成物。
【請求項８】
組成物が９〜１１のｐＨを有するのに十分なアルカリ金属水酸化物又は水酸化アンモニウムから形成されている、請求項１に記載の組成物。
【国際調査報告】
2011504203.tif 000007
2011504203.tif 000008
2011504203.tif 000009